(57)【要約】【課題】像転送用の光学系を有する生体情報取得装置において、生体情報取得装置の大型化を抑制しつつ、所望の範囲で被検体像を撮像すること。【解決手段】生体情報取得装置５５は、複数の光反射面を介して光束を案内するライトガイド９０と、ライトガイド９０から出力される光束を受光して被写体像を撮像する撮像部８５と、を備える。ライトガイド９０は、被写体像が入力する入力面を前面に有し、入力面に対向配置された第１光反射面を背面側に有すると共に、ライトガイドの肉厚方向に延在する第２光反射面を更に有する。ライトガイド９０を採用することによって、生体情報取得装置５５の大型化を抑制しつつ、所望の範囲で被検体像を取得することができる。【選択図】図１
2010134877.tif 000002
【特許請求の範囲】
【請求項１】
複数の光反射面を介して光束を案内する導光体と、
前記導光体から出力される光束を受光して被写体像を撮像する撮像部と、
を備える生体情報取得装置であって、
前記導光体は、前記被写体像が入力する入力面を前面に有し、前記入力面に対向配置された第１光反射面を背面側に有すると共に、当該導光体の肉厚方向に延在する第２光反射面を更に有する、生体情報取得装置。
【請求項２】
前記導光体は、
前記入力面及び前記第１光反射面が設けられた光束導入部と、
前記第２光反射面が設けられ、前記光束導入部に連結した光束折返部と、
を備えることを特徴とする請求項１に記載の生体情報取得装置。
【請求項３】
前記導光体は、前記第２光反射面により反射された光束を前記撮像部へ出力する光出射面を更に有し、
前記光出射面は、前記導光体の肉厚方向に延在する面であり、かつ前記第２光反射面に対向配置されていることを特徴とする請求項２に記載の生体情報取得装置。
【請求項４】
前記撮像部は、
前記光出射面に対向配置されたレンズと、
前記レンズを介して入射する光束を受光して前記被写体像を撮像する撮像素子と、
を備えることを特徴とする請求項３に記載の生体情報取得装置。
【請求項５】
前記第１及び第２光反射面は、前記導光体の外面の一部を形成することを特徴とする請求項１乃至４のいずれか一項に記載の生体情報取得装置。
【請求項６】
前記導光体を上面視したとき、前記光束折返部は、前記光束導入部から離間するに従って幅狭になる部分を有することを特徴とする請求項２に記載の生体情報取得装置。
【請求項７】
前記導光体の肉厚方向に沿う前記光束導入部の側面には、少なくとも部分的に光吸収層が形成されていることを特徴とする請求項２に記載の生体情報取得装置。
【請求項８】
前記導光体の肉厚方向に沿う前記光束折返部の側面には、前記第２光反射面及び前記光出射面を除いて、少なくとも部分的に光吸収層が形成されていることを特徴とする請求項３に記載の生体情報取得装置。
【請求項９】
複数の光反射面を介して光束を案内する導光体と、
前記導光体から出力される光束を受光して被写体像を撮像する撮像部と、
前記撮像部で撮像した被写体像と予め登録された画像との比較に基づいて認証を実行する認証実行部と、
を備える生体認証装置であって、
前記導光体は、前記被写体像が入力する入力面を前面に有し、前記入力面に対向配置された第１光反射面を背面側に有すると共に、当該導光体の肉厚方向に延在する第２光反射面を更に有する、生体認証装置。
【請求項１０】
複数の光反射面を介して光束を案内して、複数の画素で被検体を撮像する撮像素子へ出射する導光体であって、
前記被写体像が入力する入力面を前面に有し、前記入力面に対向配置された第１光反射面を背面側に有すると共に、当該導光体の肉厚方向に延在する第２光反射面を更に有する、導光体。
【請求項１１】
複数の光反射面を介して光束を案内する導光体と、
前記導光体から出力される光束を受光して被写体像を撮像する撮像部と、
を備える画像取得装置であって、
前記導光体は、前記被写体像が入力する入力面を前面に有し、前記入力面に対向配置された第１光反射面を背面側に有すると共に、当該導光体の肉厚方向に延在する第２光反射面を更に有する、画像取得装置。
【発明の詳細な説明】
【技術分野】
【０００１】
本発明は、生体情報取得装置、生体認証装置、導光体、及び画像取得装置に関する。
【背景技術】
【０００２】
近年、情報セキュリティーの保護強化に伴って、生体認証に関する技術開発の進展が著しい。生体認証とは、検査対象の個体から取得した生体情報が、あらかじめ登録された生体情報に等しいかどうかという判定に基づいて、ある個体を他の個体から識別する技術である。例えば、ヒトの瞳の虹彩に基づいて個体を特定する方法、ヒトの指等の静脈パターンに基づいて個体を特定する方法、及び指の指紋パターンに基づいて個体を特定する方法が挙げられる。
【０００３】
このような背景を受けて、生体情報取得装置及びこれを含む生体認証装置に関して活発に研究開発が行われている。例えば、特許文献１には、時系列で順次取得した複数の画像に基づいて認証する技術が開示されている。また、特許文献２には、生体認証に用いられる撮像装置が開示されている。この撮像装置では、光源（１００）、支持台（３００）、画像認証部（２００）を積層させることで、撮像装置の小型化を図っている。
【特許文献１】特開２００６−１９８１７４号公報
【特許文献２】特開２００１−１１９００８号公報
【発明の開示】
【発明が解決しようとする課題】
【０００４】
ところで、小型な電子機器（例えば、ノートパソコン、携帯電話等）に生体認証装置を組み込む場合、生体認証装置の像取得部分として機能する生体情報取得装置を低価格化、かつ小型化することが強く要求される。
【０００５】
撮像素子の前方に光学系を配置すれば、生体情報取得装置の小型化を図ることができる場合がある。この場合、撮像素子の小型化のため、光学系に含まれる複数の反射面を介して像転送させ、この過程で像を縮小すると良い。しかしながら、像転送用の光学系のための配置空間を電子機器内に確保することが困難な場合があり、かかる場合には生体情報取得装置を十分に小型化することができない。
【０００６】
本発明は、このような問題点を解決するためになされたものであり、像転送用の光学系を有する生体情報取得装置において、生体情報取得装置の大型化を抑制しつつ、所望の範囲で被検体像を撮像することを目的とする。
【課題を解決するための手段】
【０００７】
本発明に係る生体情報取得装置は、複数の光反射面を介して光束を案内する導光体と、前記導光体から出力される光束を受光して被写体像を撮像する撮像部と、を備え、前記導光体は、前記被写体像が入力する入力面を前面に有し、前記入力面に対向配置された第１光反射面を背面側に有すると共に、当該導光体の肉厚方向に延在する第２光反射面を更に有する。
【０００８】
この導光体を採用することによって、生体情報取得装置の大型化を抑制しつつ、所望の範囲で被検体像を取得することができる。
【０００９】
前記導光体は、前記入力面及び前記第１光反射面が設けられた光束導入部と、前記第２光反射面が設けられ、前記光束導入部に連結した光束折返部と、を備える、と良い。
【００１０】
前記導光体は、前記第２光反射面により反射された光束を前記撮像部へ出力する光出射面を更に有し、前記光出射面は、前記導光体の肉厚方向に延在する面であり、かつ前記第２光反射面に対向配置されている、と良い。
【００１１】
前記撮像部は、前記光出射面に対向配置されたレンズと、前記レンズを介して入射する光束を受光して前記被写体像を撮像する撮像素子と、を備える、と良い。
【００１２】
前記第１及び第２光反射面は、前記導光体の外面の一部を形成する、と良い。
【００１３】
前記導光体を上面視したとき、前記光束折返部は、前記光束導入部から離間するに従って幅狭になる部分を有する、と良い。
【００１４】
前記導光体の肉厚方向に沿う前記光束導入部の側面には、少なくとも部分的に光吸収層が形成されている、と良い。
【００１５】
前記導光体の肉厚方向に沿う前記光束折返部の側面には、前記第２光反射面及び前記光出射面を除いて、少なくとも部分的に光吸収層が形成されている、と良い。
【００１６】
本発明に係る生体認証装置は、複数の光反射面を介して光束を案内する導光体と、前記導光体から出力される光束を受光して被写体像を撮像する撮像部と、前記撮像部で撮像した被写体像と予め登録された画像との比較に基づいて認証を実行する認証実行部と、を備える生体認証装置であって、前記導光体は、前記被写体像が入力する入力面を前面に有し、前記入力面に対向配置された第１光反射面を背面側に有すると共に、当該導光体の肉厚方向に延在する第２光反射面を更に有する。
【００１７】
本発明に係る導光体は、複数の光反射面を介して光束を案内して、複数の画素で被検体を撮像する撮像素子へ出射する導光体であって、前記被写体像が入力する入力面を前面に有し、前記入力面に対向配置された第１光反射面を背面側に有すると共に、当該導光体の肉厚方向に延在する第２光反射面を更に有する。
【００１８】
本発明に係る画像取得装置は、複数の光反射面を介して光束を案内する導光体と、前記導光体から出力される光束を受光して被写体像を撮像する撮像部と、を備える画像取得装置であって、前記導光体は、前記被写体像が入力する入力面を前面に有し、前記入力面に対向配置された第１光反射面を背面側に有すると共に、当該導光体の肉厚方向に延在する第２光反射面を更に有する。
【発明の効果】
【００１９】
本発明によれば、像転送用の光学系を有する生体情報取得装置において、生体情報取得装置の大型化を抑制しつつ、所望の範囲で被検体像を撮像することができる。
【発明を実施するための最良の形態】
【００２０】
以下、図面を参照しつつ、本発明の実施の形態について説明する。なお、各実施の形態は、説明の便宜上、簡略化されている。図面は簡略的なものであるから、図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。上下左右といった方向を示す言葉は、図面を正面視した場合を前提として用いるものとする。
【００２１】
〔第１の実施形態〕
図１乃至図５を参照して本発明の第１の実施形態について説明する。図１は、生体認証装置の概略的な構成を示す概略的な説明図である。図２は、ライトガイドの構成を示す概略的な模式図である。図３は、撮像部の構成を示す概略的な模式図である。図４は、ライトガイドの機能を説明するための概略的な説明図である。図５は、生体認証装置の動作を説明するためのフローチャートである。
【００２２】
図１に示すように、生体認証装置１０は、光源５０、コントローラ５２、生体情報取得装置５５、認証部６０を有する。生体認証装置１０は、ホスト装置６５に接続される。また、図１に示すように、生体情報取得装置５５は、撮像部８５、及びライトガイド（導光体）９０を有する。
【００２３】
生体認証装置１０は、携帯電話等のホスト機器に組み込まれている。生体認証装置１０による認証結果によってホスト機器の動作状態が決定付けられる。例えば、生体認証装置１０が認証成功と判定したとき、生体認証装置１０は認証成功信号をホスト装置６５に出力し、ホスト機器が非動作状態から動作状態になる。生体認証装置１０が認証不成功と判定したときは、生体認証装置１０は認証不成功信号をホスト装置６５に出力し、ホスト機器は非動作状態を維持する。このようにホスト機器に生体認証装置１０を組み込むことによってホスト機器内の機密情報が保護される。
【００２４】
接続関係は、次のとおりである。コントローラ５２は、光源５０、撮像部８５、認証部６０に接続される。ライトガイド９０は、撮像部８５に光学的に接続される。撮像部８５の出力は、認証部６０に接続される。認証部６０とホスト装置６５は相互に接続される。
【００２５】
光源５０は、コントローラ５２からの制御信号に応じて、例えば、近赤外〜赤外領域の波長の光を出射する。光源５０は、例えば、モノリシックの半導体素子が樹脂でパッケージされた半導体発光素子（出射光の波長、７６０ｎｍ、８５０ｎｍ、８７０ｎｍ、９５０ｎｍ等）である。半導体発光素子に電流を流すことによって半導体発光素子は所定波長の光を出射する。なお、指紋像を取得する場合には、光源５０から可視光を出射させれば良い。
【００２６】
コントローラ５２は、光源５０、撮像部８５、認証部６０の動作状態を制御する。なお、認証部にコントローラの機能を内蔵することでコントローラ５２は省略可能である。この場合、コントローラの機能は、認証部に内蔵されるＣＰＵ等の演算処理部のプログラム、グルーロジックで実現できる。
【００２７】
ライトガイド９０は、撮像部８５の前方に設けられる。ライトガイド９０は、入力像を縮小して撮像部８５に出力する導光体である。なお、ライトガイド９０は、光源５０からの出射光（ここでは、近赤外線）に対して実質的に透明な板状部材である。
【００２８】
図１に示すように、ライトガイド９０は、光束導入部９０ａ、及び光束折返部９０ｂを有する。光束導入部９０ａには、静脈像が入力する像入力領域Ｒｉｎが形成されている。光束折返部９０ｂには、ライトガイド９０の肉厚方向に延在し反射面として機能する側面９４が形成されている。側面９４を設けることによって、ｚ軸に沿ってライトガイド９０の幅を拡大する場合であっても、ｙ軸に沿ってライトガイド９０が長尺になることを抑制することができる。この点は、後述する本実施形態及び参考例の説明から明らかになる。
【００２９】
なお、ライトガイド９０は、樹脂又はガラス等により形成される。ライトガイド９０を樹脂で製造する場合、アクリル、ポリカーボネート、シクロオレフィンポリマー、透明ポリイミド、ポリエチレン、ポリプロピレン等の樹脂材料を用いることができる。
【００３０】
図２を参照して、ライトガイド９０の構成について説明する。
【００３１】
図２（ａ）〜（ｃ）に示すように、ライトガイド９０は、前面９１、背面（光反射面）９２、側面９４（光反射面）、及び側面（光出射面）９５を有する。なお、ライトガイド９０は、背面９３、側面９６、側面９７ａ、側面９７ｂ、側面９８ａ、側面９８ｂ、及び側面９９を更に有する。
【００３２】
ライトガイド９０は、ライトガイドと空気間の界面で光束を全反射させて光束を案内する。ライトガイド９０内での光束の伝播過程で、像入力領域Ｒｉｎに入力した静脈像は縮小され、側面９５から出力される。なお、光束導入部９０ａと光束折返部９０ｂ間の境界線ＤＬに対して側面９４がなす角度は４５度である。側面９４は、前面９１に対して垂直に交差している。
【００３３】
ライトガイド９０は、ｘ軸に沿って入射した光束を、まず背面９２で反射させて、ｙ軸方向に進行させる。次に、ライトガイド９０は、伝播光を側面９４で反射させて、ｚ軸方向に進行させる。これによって、ｚ軸に沿って幅広い静脈像を取得する場合であっても、ｙ軸に沿ってライトガイド９０が長尺になることを抑制することができる。結果として、ライトガイド９０の大型化を伴うことなく、所望の条件で像取得することができる。ライトガイド９０による入射光束の案内過程で静脈像は縮小されるため、ライトガイド９０を設けない場合と比較して、撮像部８５のサイズを小型にすることができる。なお、ライトガイド９０内の伝播過程で、伝播光は、前面９１及び背面９３にて全反射しながら伝播する。全反射条件を満足するように、ライトガイド９０を光学設計することで、ライトガイド９０における光の伝播ロスを低減し、良好な品質の静脈像を取得することができる。
【００３４】
なお、像入力領域Ｒｉｎ以外の前面９１の部分に、金属の反射膜、又は波長選択性のある光反射層を形成しても良い。光源５０の出射光波長の光に対して反射性を有する光反射層を形成する場合、不要波長の光をライトガイド９０外へ放射させることができる。これによって、取得する静脈像の品質を高めることができる。同様に、反射面として機能する背面９２、背面９３、及び側面９４に対して、金属の反射膜、又は波長選択性のある光反射層を形成しても良い。
【００３５】
なお、金属の反射膜をライトガイド９０の表面に形成する場合には帯電が問題となる。全反射条件を満足するようにライトガイド９０を光学設計する場合には、この点は問題とはならない。波長選択性のある光反射層を形成する場合も同様である。金属の反射膜を形成しない場合、帯電した電荷がコントローラ５２、認証部６０、撮像部８５に放電して、これらの電子部品を静電破壊等することを抑制することができる。
【００３６】
図１に示す撮像部８５は、図３に示すように、レンズ８５ａ、及び撮像素子８５ｂを有する。レンズ８５ａの光軸は、側面９５に対して垂直に設定されている。レンズ８５ａは、集光レンズとして機能し、入力する静脈像を縮小して出力する。撮像素子８５ｂは、ＴＦＴ（Thin Film Transistor）、ＣＭＯＳ（Complementary Metal Oxide Semiconductor）、ＣＣＤ（Charge Coupled Device）等の一般的な撮像素子である。撮像素子８５ｂは、マトリクス状に配置された画素を有する。撮像素子８５ｂは、入射光量に応じた電気信号を各画素で生成することで静脈像を撮像する。撮像素子８５ｂは、コントローラ５２からの制御信号に基づいて、静脈像を撮像し、この撮像した画像を認証部６０へ出力する。
【００３７】
図１に示す認証部６０は、コントローラ５２からの制御信号に基づいて、撮像部８５で撮像した静脈像と予め登録された静脈像との比較に基づいて認証を実行し、認証結果をホスト装置６５に出力する。なお、認証部６０の具体的な動作内容は任意である。認証部６０は、互いに比較対象とする画像から特徴点を抽出し、この特徴点が一致又は類似しているかを判定することで認証を実行しても良い。なお、認証部６０は、ＣＰＵ等の演算処理部でハードディスク等の記録媒体に記憶されたプログラムが実行されることで実現される。又、グルーロジックなどのハード処理で行っても良い。
【００３８】
ここで、図４を参照して、ライトガイド９０の機能について説明する。
【００３９】
図４の符号Ａ、Ｂ、Ｃ、Ｄ、Ｅ、Ｆは、物点を示す。各物点からの光は、図４に示すようにプリズム内を通る。この場合、各物点の光路において、背面９２、９３で反射する反射点を○で示し、前面９１で反射する反射点を×で示してある。図４に示すとおり、側面９４における反射位置は物点毎に異なる。例えば、物点Ａからの光は、背面９２で反射し、前面９１で反射し、背面９３で反射し、側面９４で反射し、前面９１で反射し、背面９３で反射し、側面９５から出射する。物点Ｃからの光は、背面９２で反射し、側面９４で反射し、前面９１で反射し、背面９３で反射し、側面９５から出射する。このように、像入力領域Ｒｉｎにおける入射位置に応じて、入射光は、異なる光路でライトガイド９０内を伝播する。但し、この場合であっても、各光路間で、前面反射の回数、背面反射の回数は同じであり、かつ側面９４で必ず反射される。
【００４０】
最後に、図５を参照して、生体認証装置１０の動作について説明する。
【００４１】
まず、生体認証機能の活性化をする（Ｓ１）。これによって、生体認証装置１０が活性化される。なお、生体認証装置１０の活性化の具体的な方法は任意である。コントローラ５２に接続されるスタートスイッチを生体認証装置１０に設け、このスタートスイッチを押すことで生体認証機能を活性化しても良い。
【００４２】
次に、ヒトの指に対して近赤外線を照射する（Ｓ２）。具体的には、光源５０は、コントローラ５２からの制御信号に応じて、ライトガイド９０の前面９１上に載置されたヒトの指に近赤外線を照射する。ヒトの指に投射された近赤外線は、ヒトの指内に拡散する。近赤外線は、ヒトの静脈がある部分で吸収される。ヒトの指の透過光を撮像することによって静脈像を取得することが可能になる。
【００４３】
次に、像取得する（Ｓ３）。具体的には、コントローラ５２からの制御信号に応じて、撮像部８５は、ライトガイド９０から出力される静脈像を撮像する。
【００４４】
次に、画像処理をする（Ｓ４）。具体的には、コントローラ５２からの制御信号に応じて、認証部６０は、撮像部８５から出力された画像データに対して画像処理（例えば、歪補正処理等）をする。
【００４５】
次に、認証を実行する（Ｓ５）。具体的には、コントローラ５２からの制御信号に応じて、認証部６０は、今回取得した画像データと予め登録された画像データを比較し、今回検査されたヒトが予め登録されたヒトであるのかを判定する。
【００４６】
認証成功の場合、ホスト機器の機能を活性化する（Ｓ７）。認証成功の場合、認証部６０は認証成功信号をホスト装置６５に出力する。ホスト装置６５は、認証部６０からの認証成功信号に基づいて特定の機能を活性化する。このようにして、ホスト機器は、非動作状態から動作状態になる。なお、認証不成功の場合、ホスト機器は非動作状態を維持する。
【００４７】
〔第２の実施形態〕
図６を参照して本発明の第２の実施形態について説明する。図６は、ライトガイド９０のバリエーションを説明するための模式図である。
【００４８】
図６（ａ）に示すようなライトガイドに代えて、図６（ｂ）、図６（ｃ）に示すライトガイド９０を採用しても良い。このような場合であっても第１の実施形態と同様の効果を得ることができる。
【００４９】
図６（ｂ）に示すように、像入力領域Ｒｉｎに入射した光のライトガイド９０内での伝播光路に応じて、伝播光が通らない不要部分をライトガイド９０から部分的に除去しても良い。これによって、ライトガイド８０を更に小型化することができる。
【００５０】
なお、図６（ｂ）から明らかなように、光束折返部９０ｂは、光束導入部９０ａと側面９５間に、光束導入部９０ａから離間するに従って幅狭になる部分を有する。
【００５１】
図６（ｃ）に示すように、反射面として機能しない側面に、ライトガイド９０を筐体等に取り付けるための構造３２、３４、３６を形成しても良い。これによって、ライトガイド９０の光学的な特性を損なうことなく、簡易にライトガイド９０を他の部材に固定することが可能になる。
【００５２】
〔第３の実施形態〕
図７を参照して本発明の第３の実施形態について説明する。図７は、ライトガイド９０のバリエーションを説明するための模式図である。
【００５３】
図７（ａ）及び図７（ｂ）に示すように、反射面として機能しない側面に黒色層（光吸収層４２ａ〜４２ｄ）を形成しても良い。このような場合であっても上述の実施形態と同様の効果を得ることができる。
【００５４】
反射面として機能しない側面に黒色層を形成することによって、該側面にて不要光が反射することを抑制することができる。これによって、不要反射によって取得する静脈像の画質が劣化することを抑制することができる。
【００５５】
なお、図７（ａ）に示す範囲Ｒ２０に、黒色層４２ｂを形成すると良い。これによって、ライトガイド９０内に生じる不要光を効果的に低減することができる。そして、良質な静脈像を取得し、高精度の生体認証を実現することができる。
【００５６】
〔参考例〕
以下、図８及び図９を参照して参考例について説明する。図８及び図９は、参考例に係る生体情報取得装置の概略的な模式図である。
【００５７】
図８（ａ）、（ｂ）に示すように、ライトガイド９０は、前面と背面間の反射を介して光束を案内する。ライトガイド９０を介在させることで、装置の大型化を回避しつつ、必要な光路長を確保することができる。
【００５８】
しかしながら、より広い範囲で静脈像を撮像するためにライトガイド９０のｚ方向の幅を広げる場合、ライトガイド９０のｙ軸に沿う幅を拡大させることが必要になる。具体的には、図９（ａ）、（ｂ）に示すように、ライトガイド９０のｙ軸に沿う幅を拡大することが必要になる。これは、取得する静脈像の拡大に応じて、静脈像の縮小に要する光路長が長くなるためである。
【００５９】
本実施形態では、上述のように、ライトガイド９０に側面９４を設ける。これによって、参考例のようにライトガイド９０のｙ軸に沿う幅を拡大することを回避することができる。つまり、取得する静脈像を拡大したとしても、これに伴ってライトガイド９０が大型化することを回避することができる。
【００６０】
本発明の技術的範囲は上述の実施形態に限定されない。ライトガイドの具体的な形状は任意である。ライトガイド内で光束を案内する過程で、取得する静脈像に歪が生じるようにしても良い。この場合に取得像に生じた歪は、画像処理にて除去すれば良い。ライトガイドに対するレンズ及び撮像素子の取り付け方法は任意である。不要な外来光がライトガイドに入射しないように、筐体内にライトガイドを配置すると良い。
【図面の簡単な説明】
【００６１】
【図１】本発明の第１の実施形態にかかる生体認証装置の概略的な構成を示す概略的な説明図である。
【図２】本発明の第１の実施形態にかかるライトガイドの構成を示す概略的な模式図である。
【図３】本発明の第１の実施形態にかかる撮像部の構成を示す概略的な模式図である。
【図４】本発明の第１の実施形態にかかるライトガイドの機能を説明するための概略的な説明図である。
【図５】本発明の第１の実施形態にかかる生体認証装置の動作を説明するためのフローチャートである。
【図６】本発明の第２の実施形態にかかるライトガイド９０のバリエーションを説明するための模式図である。
【図７】本発明の第３の実施形態にかかるライトガイド９０のバリエーションを説明するための模式図である。
【図８】本発明の参考例にかかる生体情報取得装置の概略的な模式図である。
【図９】本発明の参考例にかかる生体情報取得装置の概略的な模式図である。
【符号の説明】
【００６２】
１０    生体認証装置
５０    光源
５２    コントローラ
５５    生体情報取得装置
６０    認証部
６５    ホスト装置
８５    撮像部
８５ａ    レンズ
８５ｂ    撮像素子
９０    ライトガイド
９０ａ    光束導入部
９０ｂ    光束折返部
９１    前面
９２    背面
９３    背面
９４    側面
９５    側面
９６    側面
９７ａ    側面
９７ｂ    側面
９８ａ    側面
９８ｂ    側面
９９    側面
４２ａ-４２ｄ    光吸収層
【図１】
2010134877.tif 000003
【図２】
2010134877.tif 000004
【図３】
2010134877.tif 000005
【図４】
2010134877.tif 000006
【図５】
2010134877.tif 000007
【図６】
2010134877.tif 000008
【図７】
2010134877.tif 000009
【図８】
2010134877.tif 000010
【図９】
2010134877.tif 000011